(57)【要約】【課題】利用者情報やコンテンツの利用履歴を管理する必要なく、適正な対価を支払った利用者のみがコンテンツを閲覧、再生できるようにする。【解決手段】コンテンツ配信サーバ１は、コンテンツ暗号化鍵とコンテンツ復号鍵を生成し、コンテンツ暗号化鍵によりコンテンツを暗号化し、携帯電話端末３がコンテンツ復号鍵の発行をキオスク端末４に要求し、キオスク端末４はコンテンツ配信サーバ１よりコンテンツ復号鍵を受信するとともに携帯電話端末３に対してコンテンツ復号鍵の発行に対する課金決済を行い、課金決済後にコンテンツ復号鍵を携帯電話端末３に発行し、携帯電話端末３はコンテンツ復号鍵を含むコンテンツ再生要求情報をセットトップボックス５に送信し、セットトップボックス５はコンテンツ配信サーバ１から暗号化コンテンツを受信し、コンテンツ再生要求情報に含まれたコンテンツ復号鍵で暗号化コンテンツを復号してコンテンツを再生する。【選択図】        図１
2004159036.tif 000002
【特許請求の範囲】
【請求項１】
コンテンツ暗号化鍵及びコンテンツ復号鍵を生成し、生成したコンテンツ暗号化鍵を用いて有料のコンテンツデータを暗号化し、暗号化した暗号化コンテンツデータを配信するコンテンツ配信装置と、
コンテンツ復号鍵の発行を要求するコンテンツ復号鍵発行要求を送信し、所定の場合にコンテンツ復号鍵発行要求に対する応答としてコンテンツ復号鍵を受信し、受信したコンテンツ復号鍵を送信するコンテンツ復号鍵取得装置と、
前記コンテンツ復号鍵取得装置よりコンテンツ復号鍵発行要求を受信し、受信したコンテンツ復号鍵発行要求に基づきコンテンツ復号鍵の送信を要求するコンテンツ復号鍵送信要求を前記コンテンツ配信装置に対して送信し、前記コンテンツ配信装置よりコンテンツ復号鍵を受信し、前記コンテンツ復号鍵取得装置に対してコンテンツデータの利用に関する課金決済処理を行い、課金決済処理後にコンテンツ復号鍵を前記コンテンツ復号鍵取得装置に対して送信する課金決済装置と、
前記コンテンツ復号鍵取得装置よりコンテンツ復号鍵を受信し、前記コンテンツ配信装置より暗号化コンテンツデータを受信し、前記コンテンツ復号鍵取得装置より受信したコンテンツ復号鍵を用いて暗号化コンテンツデータを復号し、復号したコンテンツデータを再生するコンテンツ再生装置とを有することを特徴とする通信システム。
【請求項２】
前記コンテンツ復号鍵取得装置は、
コンテンツ復号鍵取得装置に固有の暗号化鍵及び復号鍵を有し、前記課金決済装置より受信したコンテンツ復号鍵を固有の暗号化鍵を用いて暗号化し、暗号化した暗号化コンテンツ復号鍵を保有し、前記コンテンツ再生装置に対してコンテンツ復号鍵を送信する際に固有の復号鍵を用いて暗号化コンテンツ復号鍵を復号し、復号したコンテンツ復号鍵を前記コンテンツ再生装置に対して送信することを特徴とする請求項１に記載の通信システム。
【請求項３】
前記通信システムは、更に、
コンテンツデータを検索するためのコンテンツ検索情報を前記コンテンツ配信装置より受信するとともに、受信したコンテンツ検索情報を前記コンテンツ復号鍵取得装置に対して配信するコンテンツ検索情報配信装置を有し、
前記コンテンツ復号鍵取得装置は、
前記コンテンツ検索情報配信装置よりコンテンツ検索情報を受信し、受信したコンテンツ検索情報に基づきコンテンツ復号鍵を取得するコンテンツデータを選択することを特徴とする請求項１に記載の通信システム。
【請求項４】
前記コンテンツ復号鍵取得装置は、
移動端末であることを特徴とする請求項１〜３のいずれかに記載の通信システム。
【請求項５】
前記課金決済装置は、
キオスク端末であることを特徴とする請求項１〜３のいずれかに記載の通信システム。
【請求項６】
前記コンテンツ配信装置は、
コンテンツ暗号化鍵及びコンテンツ復号鍵を生成するコンテンツ鍵生成部と、コンテンツ暗号化鍵を用いて有料のコンテンツデータを暗号化するコンテンツ暗号化部と、
前記課金決済装置よりコンテンツ復号鍵送信要求を受信するとともに、前記課金決済装置に対してコンテンツ復号鍵を送信する課金決済装置向け通信部と、
暗号化コンテンツデータの配信を要求する暗号化コンテンツ配信要求を前記コンテンツ再生装置より受信するとともに、前記コンテンツ再生装置に対して暗号化コンテンツデータを配信する再生装置向け通信部とを有し、
前記コンテンツ復号鍵取得装置は、
コンテンツ復号鍵発行要求を生成するコンテンツ復号鍵発行要求生成部と、
コンテンツ復号鍵発行要求を前記課金決済装置に対して送信するとともに、前記課金決済装置よりコンテンツ復号鍵を受信する課金決済装置向け通信部と、
コンテンツ復号鍵を含み、前記コンテンツ再生装置にコンテンツデータの再生を要求するコンテンツ再生要求を生成するコンテンツ再生要求生成部と、
コンテンツ再生要求を前記コンテンツ再生装置に対して送信する再生装置向け通信部とを有し、
前記課金決済装置は、
前記コンテンツ復号鍵取得装置に対してコンテンツデータの利用に関する課金決済処理を行う課金決済部と、
前記コンテンツ復号鍵取得装置よりコンテンツ復号鍵発行要求を受信するとともに、前記課金決済部による課金決済処理後に前記コンテンツ復号鍵取得装置に対してコンテンツ復号鍵を送信する取得装置向け通信部と、
前記コンテンツ復号鍵取得装置からのコンテンツ復号鍵発行要求に基づきコンテンツ復号鍵送信要求を生成するコンテンツ復号鍵送信要求生成部と、
コンテンツ復号鍵送信要求を前記コンテンツ配信装置に対して送信するとともに、前記コンテンツ配信装置よりコンテンツ復号鍵を受信する配信装置向け通信部とを有し、
前記コンテンツ再生装置は、
前記コンテンツ復号鍵取得装置よりコンテンツ再生要求を受信するコンテンツ再生要求受信部と、
前記コンテンツ再生要求受信部によりコンテンツ再生要求が受信された場合に、暗号化コンテンツ配信要求を生成する暗号化コンテンツ配信要求生成部と、
暗号化コンテンツ配信要求を前記コンテンツ配信装置に対して送信するとともに、前記コンテンツ配信装置より暗号化コンテンツデータを受信する配信装置向け通信部と、
コンテンツ再生要求に含まれたコンテンツ復号鍵を用いて暗号化コンテンツデータを復号する暗号化コンテンツ復号部と、
前記暗号化コンテンツ復号部により復号されたコンテンツデータを再生するコンテンツ再生部とを有することを特徴とする通信システム。
【請求項７】
前記コンテンツ復号鍵取得装置は、更に、
コンテンツ復号鍵取得装置に固有の暗号化鍵及び復号鍵を管理する固有鍵管理部と、
前記課金決済装置向け通信部により受信されたコンテンツ復号鍵を固有の暗号化鍵を用いて暗号化するコンテンツ復号鍵暗号化部と、
前記コンテンツ復号鍵暗号化部により暗号化された暗号化コンテンツ復号鍵を格納する暗号化コンテンツ復号鍵格納部と、
前記コンテンツ再生装置に対してコンテンツ復号鍵を送信する際に固有の復号鍵を用いて暗号化コンテンツ復号鍵を復号する暗号化コンテンツ復号鍵復号部とを有し、
前記コンテンツ再生要求生成部は、
前記暗号化コンテンツ復号鍵復号部により復号されたコンテンツ復号鍵を含むコンテンツ再生要求を生成することを特徴とする請求項６に記載の通信システム。
【請求項８】
前記通信システムは、更に、
コンテンツデータを検索するためのコンテンツ検索情報を前記コンテンツ配信装置より受信するとともに、受信したコンテンツ検索情報を前記コンテンツ復号鍵取得装置に対して配信するコンテンツ検索情報配信装置を有し、
前記コンテンツ復号鍵取得装置は、更に、
前記コンテンツ検索情報配信装置よりコンテンツ検索情報を受信する検索情報配信装置向け通信部を有し、
前記コンテンツ復号鍵発行要求生成部は、
前記検索情報配信向け通信部により受信されたコンテンツ検索情報をに基づきコンテンツ復号鍵を取得するコンテンツデータを選択し、選択したコンテンツデータのコンテンツ復号鍵の発行を要求するコンテンツ復号鍵発行要求を生成することを特徴とする請求項６に記載の通信システム。
【請求項９】
コンテンツ暗号化鍵及びコンテンツ復号鍵を生成し、生成したコンテンツ暗号化鍵を用いて有料のコンテンツデータを暗号化し、暗号化した暗号化コンテンツデータをコンテンツ再生装置に対して配信するコンテンツ配信装置と、
所定の場合にコンテンツ復号鍵を取得し、取得したコンテンツ復号鍵をコンテンツ再生装置に対して送信するコンテンツ復号鍵取得装置と通信を行う通信装置であって、
前記コンテンツ復号鍵取得装置よりコンテンツ復号鍵の発行を要求するコンテンツ復号鍵発行要求を受信し、受信したコンテンツ復号鍵発行要求に基づきコンテンツ復号鍵の送信を要求するコンテンツ復号鍵送信要求を前記コンテンツ配信装置に対して送信し、前記コンテンツ配信装置よりコンテンツ復号鍵を受信し、前記コンテンツ復号鍵取得装置に対してコンテンツデータの利用に関する課金決済処理を行い、課金決済処理後にコンテンツ復号鍵を前記コンテンツ復号鍵取得装置に対して送信することを特徴とする通信装置。
【請求項１０】
前記通信装置は、
前記コンテンツ復号鍵取得装置に対してコンテンツデータの利用に関する課金決済処理を行う課金決済部と、
前記コンテンツ復号鍵取得装置よりコンテンツ復号鍵発行要求を受信するとともに、前記課金決済部による課金決済処理後に前記コンテンツ復号鍵取得装置に対してコンテンツ復号鍵を送信する取得装置向け通信部と、
前記コンテンツ復号鍵取得装置からのコンテンツ復号鍵発行要求に基づきコンテンツ復号鍵送信要求を生成するコンテンツ復号鍵送信要求生成部と、
コンテンツ復号鍵送信要求を前記コンテンツ配信装置に対して送信するとともに、前記コンテンツ配信装置よりコンテンツ復号鍵を受信する配信装置向け通信部とを有することを特徴とする請求項９に記載の通信装置。
【発明の詳細な説明】
【０００１】
【発明の属する技術分野】
本発明は、コンテンツプロバイダが所有する映画や音楽等のコンテンツを、コンテンツ配信サーバからコンテンツの利用者の自宅等に設置されているセットトップボックスに配信し、利用者はセットトップボックスに接続されたテレビ等のコンテンツ再生機器でコンテンツを再生、閲覧するコンテンツ配信システムに関する発明である。
【０００２】
【従来の技術】
例えば、ＣＳ（Ｃｏｍｍｕｎｉｃａｔｉｏｎ  Ｓａｔｅｌｌｉｔｅ）デジタル放送が提供するＰＰＶ（Ｐａｙ  Ｐｅｒ  Ｖｉｅｗ）サービスでは、利用者がコンテンツを再生、閲覧したときの利用履歴を管理することによって、コンテンツプロバイダは、利用者の利用履歴に基づいた適正な対価を利用者から徴収している。
【０００３】
図１７は、従来のコンテンツ配信システムの全体構成を示すブロック図である。
図１７で、
１０１は、映画や音楽等のコンテンツを配信するコンテンツ配信サーバである。
１０２は、コンテンツ配信サーバが配信するコンテンツを受信するセットトップボックスである。
１０３は、コンテンツの利用履歴を管理する利用履歴管理サーバである。
１０４は、コンテンツ配信サーバからセットトップボックスにコンテンツを配信するためのコンテンツ配信網である。
１０５は、セットトップボックスから利用履歴管理サーバにコンテンツの利用履歴を送信するためのデータ通信路である。
【０００４】
従来のコンテンツデータ配信システムの動作について説明する。
図１８は、コンテンツ配信サーバ１０１が配信するコンテンツを利用者が再生するときの動作を示すフローチャートである。
【０００５】
ＳＴ１０１は、コンテンツ配信サーバ１０１が、セットトップボックス１０２にコンテンツ配信網１０４を介してコンテンツを配信するステップである。
【０００６】
ＳＴ１０２は、セットトップボックス１０２が、セットトップボックス１０２に接続されたテレビ等のコンテンツ再生機器でコンテンツを再生するステップである。
【０００７】
ＳＴ１０３は、セットトップボックス１０２が、コンテンツの利用履歴を利用履歴管理サーバ１０３に通知するステップである。
このとき、セットトップボックス１０２は、コンテンツの利用履歴を、データ通信路を介して利用履歴管理サーバ１０３に送信する。
セットトップボックス１０２は、コンテンツの利用履歴をコンテンツの利用ごとに利用履歴管理サーバに通知するか、あるいは、コンテンツの利用履歴を一時的に内部または外部の記憶装置に蓄積し、ある一定期間毎に外部または内部記憶装置に蓄積された利用履歴をまとめて利用履歴管理サーバに通知する。
コンテンツプロバイダは、利用履歴管理サーバで管理されるコンテンツの利用履歴に基づいて、利用者から適正な対価を徴収する。
また、コンテンツプロバイダが利用者から適正な対価を徴収できるようにするため、コンテンツプロバイダは、利用者のクレジットカード番号や銀行口座番号等の利用者情報を管理する必要がある。
【０００８】
【特許文献１】
特開２００２−０５７６４４号公報
【０００９】
【発明が解決しようとする課題】
従来技術においては、コンテンツプロバイダがコンテンツの利用者から適正な対価を徴収できるようにするために、コンテンツプロバイダは、利用者のクレジットカード番号や銀行口座番号等の利用者情報、及び、利用者のコンテンツの利用履歴を管理する必要があった。
【００１０】
本発明は、上記のような問題点を解決するためになされたもので、コンテンツプロバイダが利用者情報やコンテンツの利用履歴を管理する必要なく、適正な対価を支払った利用者のみがコンテンツを閲覧、再生できるようにすることを目的としている。
【００１１】
【課題を解決するための手段】
本発明に係る通信システムは、
コンテンツ暗号化鍵及びコンテンツ復号鍵を生成し、生成したコンテンツ暗号化鍵を用いて有料のコンテンツデータを暗号化し、暗号化した暗号化コンテンツデータを配信するコンテンツ配信装置と、
コンテンツ復号鍵の発行を要求するコンテンツ復号鍵発行要求を送信し、所定の場合にコンテンツ復号鍵発行要求に対する応答としてコンテンツ復号鍵を受信し、受信したコンテンツ復号鍵を送信するコンテンツ復号鍵取得装置と、
前記コンテンツ復号鍵取得装置よりコンテンツ復号鍵発行要求を受信し、受信したコンテンツ復号鍵発行要求に基づきコンテンツ復号鍵の送信を要求するコンテンツ復号鍵送信要求を前記コンテンツ配信装置に対して送信し、前記コンテンツ配信装置よりコンテンツ復号鍵を受信し、前記コンテンツ復号鍵取得装置に対してコンテンツデータの利用に関する課金決済処理を行い、課金決済処理後にコンテンツ復号鍵を前記コンテンツ復号鍵取得装置に対して送信する課金決済装置と、
前記コンテンツ復号鍵取得装置よりコンテンツ復号鍵を受信し、前記コンテンツ配信装置より暗号化コンテンツデータを受信し、前記コンテンツ復号鍵取得装置より受信したコンテンツ復号鍵を用いて暗号化コンテンツデータを復号し、復号したコンテンツデータを再生するコンテンツ再生装置とを有することを特徴とする。
【００１２】
【発明の実施の形態】
実施の形態１．
図１は、この実施の形態１におけるコンテンツ配信システム（通信システム）の全体構成を示すブロック図である。
１は、映画や音楽等のコンテンツデータを配信するコンテンツ配信サーバ（コンテンツ配信装置）である。
２は、携帯電話端末３に情報を配信する携帯電話端末向け情報配信サーバ（コンテンツ検索情報配信装置）である。
３は、携帯電話端末向け情報配信サーバ２が配信する情報を表示するブラウザアプリケーションを備えた携帯電話端末（コンテンツ復号鍵取得装置）である。４は、携帯電話端末３にデータをダウンロード可能なキオスク端末（課金決済装置、通信装置）である。
５は、コンテンツ配信サーバ１が配信するコンテンツデータを受信し再生するセットトップボックス（コンテンツ再生装置）である。
６は、コンテンツ配信サーバ１と携帯電話端末向け情報配信サーバ２間でデータの送受信を可能にするデータ通信路である。
７は、携帯電話端末３が携帯電話端末向け情報配信サーバ２に情報の配信を要求する配信リクエスト、及び、携帯電話端末向け情報配信サーバ２が携帯電話端末３に配信する情報の送受信を可能にする携帯電話端末向け情報配信網である。８は、キオスク端末４と携帯電話端末３間でデータの送受信を可能にするデータ通信路である。
９は、キオスク端末４とコンテンツ配信サーバ１間でデータの送受信を可能にするデータ通信路である。
１０は、携帯電話端末３とセットトップボックス５間でデータの送受信を可能にするデータ通信路である。
１１は、コンテンツ配信サーバ１からセットトップボックス５にコンテンツを配信するためのコンテンツ配信網である。
【００１３】
また、図２は、コンテンツ配信サーバ１の構成を示すブロック図である。
１２は、任意のコンテンツデータ（以下、「コンテンツ」とする）を暗号化するコンテンツ暗号化鍵と、コンテンツ暗号化鍵で暗号化した暗号化コンテンツデータ（以下、「暗号化コンテンツ」とする）を復号するコンテンツ復号鍵を生成するコンテンツ鍵生成部である。
１３は、任意のコンテンツをコンテンツ暗号化鍵で暗号化するコンテンツ暗号化部である。
１４は、コンテンツ配信サーバが配信するコンテンツのコンテンツ情報をコンテンツ情報データベースに登録するコンテンツ情報登録部である。
１５は、コンテンツの検索に有用な情報（コンテンツ検索情報）を携帯電話端末向け情報配信サーバ２に送信する情報配信サーバ向け通信部（検索情報配信装置向け通信部）である。
１６は、コンテンツ復号鍵をキオスク端末４に送信するキオスク端末向け通信部（課金決済装置向け通信部）である。
１７は、暗号化コンテンツをセットトップボックス５に送信するセットトップボックス向け通信部（再生装置向け通信部）である。
１８は、コンテンツ配信サーバが配信するコンテンツの情報を管理するコンテンツ情報データベースである。
５１は、コンテンツ検索情報を生成するコンテンツ検索情報生成部である。
【００１４】
また、図３は、携帯電話端末向け情報配信サーバ２の構成を示すブロック図である。
１９は、コンテンツの検索に有用なコンテンツ検索情報をコンテンツ検索情報データベース２１に登録するコンテンツ検索情報登録部である。
２０は、コンテンツ配信サーバ１よりコンテンツ検索情報を受信するコンテンツ配信サーバ向け通信部である。
２１は、コンテンツ検索情報を管理するコンテンツ検索情報データベースである。
５２は、コンテンツの検索に有用なコンテンツ検索情報を携帯電話端末３に配信する携帯電話向け通信部である。
【００１５】
また、図４は、携帯電話端末３の構成を示すブロック図である。
２２は、携帯電話端末向け情報配信サーバ２から配信されたコンテンツ検索情報を表示するコンテンツ検索情報表示部である。
２３は、コンテンツを検索した結果であるコンテンツ検索結果を格納するコンテンツ検索結果格納部である。
２４は、暗号化コンテンツを復号するコンテンツ復号鍵の発行を要求するコンテンツ復号鍵発行要求を生成するコンテンツ復号鍵発行要求生成部である。
２５は、携帯電話端末に固有な暗号化鍵である端末固有暗号化鍵と、端末固有暗号化鍵で暗号化した暗号化データを復号する携帯電話端末に固有な復号鍵である端末固有復号鍵を管理する端末固有鍵管理部である。
２６は、端末固有暗号化鍵でコンテンツ復号鍵を暗号化するコンテンツ復号鍵暗号化部である。
２７は、端末固有暗号化鍵で暗号化された暗号化コンテンツ復号鍵を、端末固有復号鍵で復号する暗号化コンテンツ復号鍵復号部である。
２８は、端末固有暗号化鍵で暗号化した暗号化コンテンツ復号鍵を格納する暗号化コンテンツ復号鍵格納部である。
２９は、コンテンツの再生をセットトップボックス５に要求するコンテンツ再生要求情報を生成するコンテンツ再生要求生成部である。
５３は、携帯電話端末向け情報配信サーバ２からコンテンツ検索情報を受信する情報配信サーバ向け通信部である。
５４は、キオスク端末４にコンテンツ復号鍵発行要求を送信するとともに、キオスク端末４からコンテンツ復号鍵を受信するキオスク端末向け通信部（課金決済装置向け通信部）である。
５５は、セットトップボックス５にコンテンツ再生要求を送信するセットトップボックス向け通信部（再生装置向け通信部）である。
５６は、ユーザからの入力を受付ける入力部である。
【００１６】
また、図５は、キオスク端末の構成を示すブロック図である。
３０は、コンテンツ復号鍵の送信をコンテンツ配信サーバ１に要求するコンテンツ復号鍵送信要求を生成するコンテンツ復号鍵送信要求生成部である。
３１は、コンテンツ復号鍵をコンテンツ復号鍵データベースに登録するコンテンツ復号鍵登録部である。
３２は、コンテンツ復号鍵送信要求をコンテンツ配信サーバ１に送信するとともに、コンテンツ配信サーバ１よりコンテンツ復号鍵を受信するコンテンツ配信サーバ向け通信部（配信装置向け通信部）である。
３３は、コンテンツ復号鍵の発行（コンテンツの利用）に対する適正な課金を行う課金決済部である。
３４は、コンテンツ復号鍵を管理するコンテンツ復号鍵データベースである。５７は、携帯電話端末３にコンテンツ復号鍵を送信する携帯電話向け通信部（取得装置向け通信部）である。
【００１７】
また、図６は、セットトップボックスの構成を示すブロック図である。
３５は、暗号化コンテンツの配信をコンテンツ配信サーバに要求する暗号化コンテンツ配信要求を生成する暗号化コンテンツ配信要求生成部である。
３６は、暗号化コンテンツをコンテンツ復号鍵で復号する暗号化コンテンツ復号部である。
３７は、コンテンツを再生するコンテンツ再生部である。
５８は、暗号化コンテンツ配信要求をコンテンツ配信サーバ１に送信するとともに、コンテンツ配信サーバ１から暗号化コンテンツを受信するコンテンツ配信サーバ向け通信部である。
５９は、携帯電話端末３からコンテンツ再生要求を受信する携帯電話向け通信部である。
【００１８】
図７は、コンテンツ情報データベースで管理するコンテンツ情報を示す図である。
３８は、コンテンツ配信サーバで管理するコンテンツ情報である。
３９は、コンテンツを一意に識別するためのコンテンツＩＤである。
４０は、利用者がコンテンツを検索するときに参照するコンテンツのタイトルや内容説明等のコンテンツ検索補助データである。
４１は、コンテンツ復号鍵と引き換えに、利用者がコンテンツプロバイダに支払う対価を表す価格である。
４２は、コンテンツをコンテンツ暗号化鍵で暗号化した暗号化コンテンツである。
４３は、暗号化コンテンツを復号するコンテンツ復号鍵である。
【００１９】
また、図８は、コンテンツの検索に有用な情報であるコンテンツ検索情報４４を示す図である。図７と同一または相当の部分については同一符号を付し説明を省略する。
４４は、利用者がコンテンツを検索するときに有用なコンテンツ検索情報である。
４５は、コンテンツ配信サーバを一意に識別するためのコンテンツ配信サーバＩＤである。
【００２０】
また、図９は、利用者によるコンテンツの検索結果であるコンテンツ検索結果情報４６を示す図である。図７、図８と同一または相当の部分については同一符号を付し説明を省略する。
４６は、利用者によるコンテンツの検索結果を表すコンテンツ検索結果情報である。
【００２１】
また、図１０は、コンテンツ復号鍵を格納したコンテンツ復号鍵情報４７である。図７〜図９と同一または相当の部分については同一符号を付し説明を省略する。
４７は、コンテンツ配信サーバがキオスク端末に送信するコンテンツ復号鍵情報である。
【００２２】
また、図１１は、コンテンツ復号鍵を端末固有暗号化鍵で暗号化した暗号化コンテンツ復号鍵を格納した暗号化コンテンツ復号鍵情報４８である。図７〜図１０と同一または相当の部分については同一符号を付し説明を省略する。
４８は、コンテンツ復号鍵を端末固有暗号化鍵で暗号化した暗号化コンテンツ復号鍵を格納した暗号化コンテンツ復号鍵情報である。
４９は、端末固有暗号化鍵でコンテンツ復号鍵を暗号化した暗号化コンテンツ復号鍵である。
【００２３】
また、図１２は、セットトップボックスにコンテンツの再生を要求する際、携帯電話端末からセットトップボックスに送信されるコンテンツ再生要求情報５０である。図７〜図１１と同一または相当の部分については同一符号を付し説明を省略する。
５０は、セットトップボックスにコンテンツの再生を要求する際、携帯電話端末からセットトップボックスに送信されるコンテンツ再生要求情報である。
【００２４】
次に、本実施の形態に係るコンテンツ配信システムの動作の概略を説明する。
【００２５】
コンテンツ配信サーバ１は、コンテンツを暗号化するためのコンテンツ暗号化鍵と、暗号化された暗号化コンテンツを復号するためのコンテンツ復号鍵を生成し、コンテンツ暗号化鍵によりコンテンツを暗号化する。また、コンテンツ配信サーバ１が保有するコンテンツについてコンテンツ検索情報を生成し、携帯電話端末向け情報配信サーバ２に対してコンテンツ検索情報を送信する。
携帯電話端末向け情報配信サーバ２では、コンテンツ検索情報を携帯電話端末３に配信する。
携帯電話端末３では、受信したコンテンツ検索情報を表示して再生、閲覧の対象となるコンテンツをユーザに指定させる。そして、ユーザが指定したコンテンツのコンテンツ復号鍵の発行を要求するコンテンツ復号鍵発行要求を生成し、キオスク端末４に送信する。
【００２６】
キオスク端末４では、携帯電話端末３からのコンテンツ復号鍵発行要求に基づき、コンテンツ配信サーバ１にコンテンツ復号鍵の送信を要求するコンテンツ復号鍵送信要求を生成し、コンテンツ配信サーバ１に送信する。
コンテンツ配信サーバ１では、コンテンツ復号鍵送信要求に基づきコンテンツ復号鍵をキオスク端末４に送信する。
キオスク端末４では、コンテンツ配信サーバ１からコンテンツ復号鍵を受信し、また、携帯電話端末３に対してコンテンツ復号鍵の発行（コンテンツの利用）に対する課金決済を行い、課金決済後に、コンテンツ復号鍵を携帯電話端末３に送信する。
携帯電話端末３では、課金決済後にコンテンツ復号鍵を受信し、受信したコンテンツ復号鍵を携帯電話端末に固有の端末固有暗号化鍵で暗号化して保有する。また、コンテンツ復号鍵を含み、セットトップボックスに５コンテンツの再生を要求するコンテンツ再生要求情報を生成し、セットトップボックス５に送信する。コンテンツ再生要求情報を生成、送信する際は、暗号化された暗号化コンテンツ復号鍵を携帯電話端末固有の端末固有復号鍵で復号する。
セットトップボックス５では、携帯電話端末３からのコンテンツ再生要求に従い、コンテンツ配信サーバ１に対して暗号化コンテンツの配信を要求する暗号化コンテンツ配信要求を生成し、コンテンツ配信サーバ１に送信する。そして、コンテンツ配信サーバ１より要求した暗号化コンテンツを受信した際に、携帯電話端末３からのコンテンツ再生要求に含まれているコンテンツ復号鍵を用いて暗号化コンテンツを復号して再生する。
【００２７】
次に、この実施の形態１におけるコンテンツ配信システムの動作について詳細に説明する。
【００２８】
最初に、コンテンツ配信サーバ１が、配信するコンテンツを暗号化するときの動作について説明する。
図１３は、コンテンツ配信サーバ１が、配信するコンテンツを暗号化するときの動作を示すフローチャートである。
【００２９】
ＳＴ１１は、コンテンツ鍵生成部１２で、コンテンツを暗号化するコンテンツ暗号化鍵と、コンテンツ暗号化鍵で暗号化した暗号化コンテンツを復号するコンテンツ復号鍵を生成するステップである。
このとき、コンテンツ配信サーバ１は、コンテンツ毎にその値が独立であるコンテンツ暗号化鍵とコンテンツ復号鍵を生成する。
なお、コンテンツを暗号化・復号するときの暗号アルゴリズムが共通鍵暗号アルゴリズムである場合、コンテンツ暗号化鍵とコンテンツ復号鍵の値は同一である。
【００３０】
ＳＴ１２は、コンテンツ暗号化部１３で、コンテンツ鍵生成部１２が生成したコンテンツ暗号化鍵でコンテンツを暗号化するステップである。
【００３１】
ＳＴ１３は、コンテンツ情報登録部１４で、コンテンツ情報３８をコンテンツ情報データベース１８に登録するステップである。
このとき、コンテンツ配信サーバ１は、コンテンツＩＤ３９、コンテンツ検索補助データ４０、価格４１、暗号化コンテンツ４２、及び、コンテンツ復号鍵４３から構成されるコンテンツ情報３８をコンテンツ情報データベース１８に登録する。
【００３２】
次に、携帯電話端末向け情報配信サーバ２から携帯電話端末３にコンテンツ検索情報４４を配信するときの動作について説明する。
図１４は、携帯電話端末向け情報配信サーバ２から携帯電話端末３にコンテンツ検索情報４４を配信するときの動作を示すフローチャートである。
【００３３】
ＳＴ１４は、コンテンツ検索情報生成部５１がコンテンツ検索情報４４を生成し、情報配信サーバ向け通信部１５がコンテンツ検索情報４４を携帯電話端末向け情報配信サーバ２に送信するステップである。
このとき、コンテンツ配信サーバ１では、コンテンツ検索情報生成部５１が、コンテンツ配信サーバＩＤ４５と、コンテンツ情報データベース１８から取得したコンテンツＩＤ３９、コンテンツ検索補助データ４０、及び、価格４１からコンテンツ検索情報４４を生成し、情報配信サーバ向け通信部１５がコンテンツ検索情報をデータ通信路６を介して、携帯電話端末向け情報配信サーバ２に送信する。
ここで、コンテンツ配信サーバＩＤ４５は、例えば、ＵＲＬのような、コンテンツ配信サーバを一意に識別するためのＩＤである。
【００３４】
ＳＴ１５は、コンテンツ検索情報登録部１９で、コンテンツ配信サーバ１から送信されたコンテンツ検索情報４４をコンテンツ検索情報データベース２１に登録するステップである。
このとき、携帯電話端末向け情報配信サーバ２は、コンテンツ配信サーバＩＤ４５、コンテンツＩＤ３９、コンテンツ検索補助データ４０、及び、価格４１から構成されるコンテンツ検索情報４４をコンテンツ検索情報データベース２１に登録する。
【００３５】
ＳＴ１６は、携帯電話向け通信部５２で、コンテンツ検索情報４４を携帯電話端末３に配信するステップである。
このとき、携帯電話端末向け情報配信サーバ２は、コンテンツ検索情報データベース２１から取得したコンテンツ検索情報４４を、携帯電話端末向け情報配信サービス網７を介して、携帯電話端末３に配信する。
【００３６】
ＳＴ１７は、コンテンツ検索情報表示部２２で、携帯電話端末向け情報配信サーバ２から配信されたコンテンツ検索情報４４を表示するステップである。
携帯電話端末３は、携帯電話端末３のブラウザアプリケーションで、コンテンツ検索情報４４を携帯電話端末３の表示領域に表示する。
このとき、携帯電話端末３の利用者は、携帯電話端末３のブラウザアプリケーションで、コンテンツ検索情報４４を参考に、テレビ等のコンテンツ再生機器で再生、閲覧したいコンテンツを指定することができる。
【００３７】
ＳＴ１８は、コンテンツ検索結果格納部２３で、携帯電話端末３の利用者がテレビ等のコンテンツ再生機器で再生、閲覧したいコンテンツを指定したときの検索結果であるコンテンツ検索結果情報４６を携帯電話端末３に格納するステップである。
携帯電話端末３は、利用者が指定したコンテンツを配信するコンテンツ配信サーバのコンテンツ配信サーバＩＤ４５、及び、コンテンツのコンテンツＩＤ３９から構成されるコンテンツ検索結果情報４６を、携帯電話端末３の内部記憶装置または携帯電話端末３に接続された外部記憶装置に保存する。
【００３８】
次に、携帯電話端末３がキオスク端末４からコンテンツ復号鍵をダウンロードするときの動作について説明する。
図１５は、携帯電話端末３がキオスク端末４からコンテンツ復号鍵をダウンロードするときの動作を示すフローチャートである。
このとき、携帯電話端末３の利用者は、携帯電話端末３とキオスク端末４間のデータ通信路８を有効にするため、携帯電話端末３をキオスク端末４に有線または無線接続する。
【００３９】
ＳＴ１９は、コンテンツ復号鍵発行要求生成部２４がコンテンツ復号鍵発行要求を生成し、キオスク端末向け通信部５４がコンテンツ復号鍵発行要求をキオスク端末４に送信するステップである。
このとき、携帯電話端末３は、携帯電話端末３の内部記憶装置または携帯電話端末３に接続されている外部記憶装置に保存されているコンテンツ検索結果情報４６をロードし、コンテンツ復号鍵発行要求としてデータ通信路８を介して、キオスク端末４に送信する。
なお、キオスク端末４は、携帯電話端末３に成り済ました不正な機器に対するコンテンツ復号鍵の発行を防止するため、無線または有線接続されている携帯電話端末３の機器認証を実行する。
【００４０】
ＳＴ２０は、コンテンツ復号鍵送信要求生成部３０がコンテンツ復号鍵送信要求を生成し、コンテンツ配信サーバ向け通信部３２がコンテンツ復号鍵送信要求をコンテンツ配信サーバ１に送信するステップである。
このとき、キオスク端末４は、携帯電話端末３から送信されたコンテンツ復号鍵発行要求（コンテンツ検索結果情報４６）に格納されているコンテンツ配信サーバＩＤ４５によって一意に識別されるコンテンツ配信サーバ１に、同じくコンテンツ復号鍵発行要求（コンテンツ検索結果情報４６）に格納されているコンテンツＩＤ３９を送信する。
但し、携帯電話端末３から送信されたコンテンツ復号鍵発行要求（コンテンツ検索結果情報４６）に格納されているコンテンツＩＤ３９がキーであるコンテンツ復号鍵情報４７が既にコンテンツ復号鍵データベース３４に登録されている場合、本ステップを含むＳＴ２０〜ＳＴ２２は省略される。
【００４１】
ＳＴ２１は、キオスク端末向け通信部１６で、コンテンツ復号鍵をキオスク端末４に送信するステップである。
このとき、コンテンツ配信サーバ１は、コンテンツ情報データベース１８で、キオスク端末４から送信されたコンテンツＩＤ３９がキーであるコンテンツ復号鍵４３を検索し、見つかったコンテンツ復号鍵４３を、データ通信路６を介して、キオスク端末４に送信する。
【００４２】
ＳＴ２２は、コンテンツ復号鍵登録部３１で、コンテンツ配信サーバＩＤ４５、コンテンツＩＤ３９、及び、コンテンツ復号鍵４３から構成されるコンテンツ復号鍵情報４７をコンテンツ復号鍵データベース３４に登録するステップである。
【００４３】
ＳＴ２３は、携帯電話向け通信部５７が、コンテンツ復号鍵を携帯電話端末３に発行（送信）するステップである。
キオスク端末４は、コンテンツ復号鍵データベースに登録されている価格４１に相当する対価を、課金決済部３３で、携帯電話端末３の利用者から徴収できた場合、コンテンツ復号鍵データベース３４に登録されているコンテンツ復号鍵４３を、データ通信路８を介して、携帯電話端末にダウンロードする。
【００４４】
ＳＴ２４は、暗号化コンテンツ復号鍵格納部２８で、コンテンツ配信サーバＩＤ４５、コンテンツＩＤ３９、及び、携帯電話端末３に固有な端末固有暗号化鍵で暗号化した暗号化コンテンツ復号鍵４９から構成される暗号化コンテンツ復号鍵情報４８を格納するステップである。
ここで、携帯電話端末３は、コンテンツ復号鍵暗号化部２６でコンテンツ復号鍵を暗号化する。
また、ここで、コンテンツ復号鍵を暗号化する暗号化鍵は、端末固有鍵管理部２５が管理する端末固有暗号化鍵である。
このとき、携帯電話端末３は、コンテンツ配信サーバＩＤ４５、コンテンツＩＤ３９、及び、暗号化コンテンツ復号鍵４９から構成される暗号化コンテンツ復号鍵情報４８を、携帯電話端末３の内部記憶装置または携帯電話端末３に接続されている外部記憶装置に保存する。
なお、端末固有鍵管理部２５が管理する端末固有暗号化鍵は、携帯電話端末毎にその値が予め決められている暗号化鍵であるか、または、それぞれの携帯電話端末に固有な情報、例えば、電話番号を種に一意に生成される暗号化鍵である。
【００４５】
最後に、携帯電話端末３の利用者がセットトップボックス５に接続されたコンテンツ再生機器でコンテンツを再生するときの動作について説明する。
図１６は、携帯電話端末３の利用者がセットトップボックス５に接続されたコンテンツ再生機器でコンテンツを再生するときの動作を示すフローチャートである。
このとき、携帯電話端末３の利用者は、携帯電話端末３とセットトップボックス５間のデータ通信路１０を有効にするため、携帯電話端末３をセットトップボックスに５に有線または無線接続する。
【００４６】
ＳＴ２５は、暗号化コンテンツ復号鍵復号部２７で、暗号化コンテンツ復号鍵を復号するステップである。
このとき、携帯電話端末３は、携帯電話端末３の内部記憶装置または携帯電話端末３に接続されている外部記憶装置に保存されている暗号化コンテンツ復号鍵情報４８をロードし、端末固有鍵管理部２５が管理する端末固有復号鍵で、暗号化コンテンツ復号鍵情報４８に格納されている暗号化コンテンツ復号鍵４９を復号する。
なお、端末固有鍵管理部２５が管理する端末固有復号鍵は、端末固有暗号化鍵と対になる復号鍵であり、携帯電話端末毎にその値が予め決められている復号鍵であるか、または、それぞれの携帯電話端末に固有な情報、例えば、電話番号を種に一意に生成される復号鍵である。
但し、端末固有復号鍵の値は、携帯電話端末３の利用者自身を含め、誰でもが知り得ない秘密の値である。
ここで、仮に、ある利用者の携帯電話端末３の内部記憶装置、または、携帯電話端末３に接続された外部記憶装置に保存されている暗号化コンテンツ復号鍵情報４８を、適正な対価を支払っていない他の利用者の携帯電話端末３の内部記憶装置、または、携帯電話端末に接続されている外部記憶装置にコピーした場合、通常、端末固有復号鍵の値は携帯電話端末３毎に異なるため、適正な対価を支払っていない他の利用者の携帯電話端末３で、暗号化コンテンツ復号鍵情報４８に格納されている暗号化コンテンツ復号鍵４９を復号することはできない。
【００４７】
ＳＴ２６は、コンテンツ再生要求生成部２９がコンテンツ再生要求を生成し、セットトップボックス向け通信部５５がコンテンツ再生要求情報をセットトップボックス５に送信するステップである。
このとき、携帯電話端末３は、暗号化コンテンツ復号鍵情報４８に格納されているコンテンツ配信サーバＩＤ４５、コンテンツＩＤ３９、及び、暗号化コンテンツ復号鍵復号部２７で復号したコンテンツ復号鍵４３から構成されるコンテンツ再生要求情報５０を、データ通信路１０を介して、セットトップボックス５に送信する。
【００４８】
ＳＴ２７は、暗号化コンテンツ配信要求生成部３５が暗号化コンテンツ配信要求を生成し、コンテンツ配信サーバ向け通信部５８が暗号化コンテンツ配信要求をコンテンツ配信サーバ１に送信するステップである。
このとき、セットトップボックス５は、コンテンツ再生要求情報５０に格納されているコンテンツ配信サーバＩＤ４５によって一意に決まるコンテンツ配信サーバ１に、コンテンツ再生要求情報５０に格納されているコンテンツＩＤ３９を、暗号化コンテンツ配信要求としてコンテンツ配信網１１を介して、コンテンツ配信サーバに送信する。
【００４９】
ＳＴ２８は、セットトップボックス向け通信部１７で、暗号化コンテンツ４２をセットトップボックス５に配信するステップである。
このとき、コンテンツ配信サーバ１は、コンテンツ情報データベースで、セットトップボックス５から送信されたコンテンツＩＤ３９がキーである暗号化コンテンツ４２を検索し、セットトップボックス向け通信部１７は、検索された暗号化コンテンツ４２をコンテンツ配信網１１を介して、セットトップボックス５に送信する。
ここで、暗号化コンテンツをセットトップボックスに配信することによって、適正な対価を支払っていない不正な利用者がコンテンツを再生、閲覧することを防止している。
【００５０】
ＳＴ２９は、暗号化コンテンツ復号部３６で、暗号化コンテンツ４２を復号するステップである。
このとき、セットトップボックス５は、コンテンツ配信サーバ１から送信された暗号化コンテンツ４２を、携帯電話端末３から送信されたコンテンツ再生要求情報５０に格納されているコンテンツ復号鍵４３で復号する。
【００５１】
ＳＴ３０は、コンテンツ再生部３７で、コンテンツをセットトップボックス５に接続されたテレビ等のコンテンツ再生機器で再生するステップである。
【００５２】
以上のように、実施の形態１によれば、コンテンツの利用者は、コンテンツプロバイダに支払うべき対価をキオスク端末で支払うことができるようになるため、コンテンツプロバイダは対価を徴収するために必要な利用者情報を管理する必要や、利用履歴を管理する必要がなくなり、また、コンテンツを利用する利用者の匿名性を保持することができるようになる。
【００５３】
また、実施の形態１によれば、コンテンツの利用者は、利用者の携帯電話端末で、利用者の好きな時間、好きな場所でコンテンツを検索することができるようになるため、コンビニエンスストア等に設置されているキオスク端末におけるコンテンツの検索に要する操作にかかる手間を軽減できるようになり、かつ、コンテンツのタイトル等をキオスク端末で表示する必要がなくなるため、利用者がどのようなコンテンツを利用するかといったプライバシ情報を保護し易くなる。
【００５４】
ここで、実施の形態１で証明したコンテンツ配信システムの特徴を再言する。
【００５５】
実施の形態１に示したコンテンツ配信システムは、映画や音楽等のコンテンツを暗号化した暗号化コンテンツを配信するコンテンツ配信サーバと、前記コンテンツの検索に有用な情報を携帯電話端末に配信する携帯電話端末向け情報配信サーバと、前記携帯電話端末向け情報配信サーバが配信する情報を表示する携帯電話端末と、キオスク端末と、前記コンテンツを受信するセットトップボックスから構成されるコンテンツ配信システムであって、
前記コンテンツ配信サーバは、
任意のコンテンツを暗号化するコンテンツ暗号化鍵と、コンテンツ暗号化鍵で暗号化した暗号化コンテンツを復号するコンテンツ復号鍵を生成するコンテンツ鍵生成手段、
任意のコンテンツをコンテンツ暗号化鍵で暗号化するコンテンツ暗号化手段、コンテンツ配信サーバが配信するコンテンツのコンテンツ情報をコンテンツ情報データベースに登録するコンテンツ情報登録手段、
コンテンツの検索に有用な情報を携帯電話端末向け情報配信サーバに送信するコンテンツ検索情報送信手段、
コンテンツ復号鍵をキオスク端末に送信するコンテンツ復号鍵送信手段、
暗号化コンテンツをセットトップボックスに配信する暗号化コンテンツ配信手段、
コンテンツ配信サーバが配信するコンテンツの情報を管理するコンテンツ情報データベース、
を備え、
前記携帯電話端末向け情報配信サーバは、
コンテンツの検索に有用なコンテンツ検索情報をコンテンツ検索情報データベースに登録するコンテンツ検索情報登録手段、
コンテンツの検索に有用なコンテンツ検索情報を携帯電話端末に配信するコンテンツ検索情報配信手段、
コンテンツ検索情報を管理するコンテンツ検索情報データベース、
を備え、
前記携帯電話端末は、
携帯電話端末向け情報配信サーバから配信されたコンテンツ検索情報を表示するコンテンツ検索情報表示手段、
コンテンツを検索した結果であるコンテンツ検索結果を携帯電話端末に格納するコンテンツ検索結果格納手段、
暗号化コンテンツを復号するコンテンツ復号鍵の発行を要求するコンテンツ復号鍵発行要求手段、
携帯電話端末に固有な暗号化鍵である端末固有暗号化鍵と、端末固有暗号化鍵で暗号化した暗号化データを復号する復号鍵である端末固有復号鍵を管理する端末固有鍵管理手段、
端末固有暗号化鍵でコンテンツ復号鍵を暗号化するコンテンツ復号鍵暗号化手段、
端末固有暗号化鍵で暗号化された暗号化コンテンツ復号鍵を、端末固有復号鍵で復号する暗号化コンテンツ復号鍵復号手段、
端末固有暗号化鍵で暗号化した暗号化コンテンツ復号鍵を携帯電話端末に格納する暗号化コンテンツ復号鍵格納手段、
コンテンツの再生をセットトップボックスに要求するコンテンツ再生要求手段、
を備え、
前記キオスク端末は、
コンテンツ復号鍵の送信をコンテンツ配信サーバに要求するコンテンツ復号鍵送信要求手段、
コンテンツ復号鍵をコンテンツ復号鍵データベースに登録するコンテンツ復号鍵登録手段、
コンテンツ復号鍵をセットトップボックスに発行するコンテンツ復号鍵発行手段、
コンテンツ復号鍵の発行に対する適正な対価を徴収する対価徴収手段、
コンテンツ復号鍵を管理するデータベース、
を備え、
前記セットトップボックスは、
暗号化コンテンツの配信をコンテンツ配信サーバに要求する暗号化コンテンツ配信要求手段、
暗号化コンテンツをコンテンツ復号鍵で復号する暗号化コンテンツ復号手段、
コンテンツを再生するコンテンツ再生手段、
を備えることを特徴とする。
【００５６】
【発明の効果】
以上のように、本発明によれば、課金決済後に暗号化コンテンツデータを復号するためのコンテンツ復号鍵を発行するため、課金決済に必要な利用者情報を管理する必要や、利用履歴を管理する必要がなくなり、また、コンテンツデータを利用する利用者の匿名性を保持することができるようになる。
【図面の簡単な説明】
【図１】コンテンツ配信システムの全体構成例を示す図。
【図２】コンテンツ配信サーバの構成例を示す図。
【図３】携帯電話端末向け情報配信サーバの構成例を示す図。
【図４】携帯電話端末の構成例を示す図。
【図５】キオスク端末の構成例を示す図。
【図６】セットトップボックスの構成例を示す図。
【図７】コンテンツ情報のデータ構成例を示す図。
【図８】コンテンツ検索情報のデータ構成例を示す図。
【図９】コンテンツ検索結果情報のデータ構成例を示す図。
【図１０】コンテンツ復号鍵情報のデータ構成例を示す図。
【図１１】暗号化コンテンツ復号鍵情報のデータ構成例を示す図。
【図１２】コンテンツ再生要求情報のデータ構成例を示す図。
【図１３】コンテンツを暗号化する際の動作を示すフローチャート図。
【図１４】コンテンツ検索情報を配信する際の動作を示すフローチャート図。
【図１５】コンテンツ復号鍵をダウンロードする際の動作を示すフローチャート図。
【図１６】コンテンツを再生する際の動作を示すフローチャート図。
【図１７】従来の技術を説明する図。
【図１８】従来の技術を説明する図。
【符号の説明】
１  コンテンツ配信サーバ、２  携帯電話端末向け情報配信サーバ、３  携帯電話端末、４  キオスク端末、５  セットトップボックス、１２  コンテンツ鍵生成部、１３  コンテンツ暗号化部、１４  コンテンツ情報登録部、１５  情報配信サーバ向け通信部、１６  キオスク端末向け通信部、１７  セットトップボックス向け通信部、１８  コンテンツ情報データベース、１９  コンテンツ検索情報登録部、２０  コンテンツ配信サーバ向け通信部、２１  コンテンツ検索情報データベース、２２  コンテンツ検索情報表示部、２３  コンテンツ検索結果格納部、２４  コンテンツ復号鍵発行要求生成部、２５  端末固有鍵管理部、２６  コンテンツ復号鍵暗号化部、２７  暗号化コンテンツ復号鍵復号部、２８  暗号化コンテンツ復号鍵格納部、２９  コンテンツ再生要求生成部、３０  コンテンツ復号鍵送信要求生成部、３１  コンテンツ復号鍵登録部、３２  コンテンツ配信サーバ向け通信部、３３  課金決済部、３４  コンテンツ復号鍵データベース、３５  暗号化コンテンツ配信要求生成部、３６  暗号化コンテンツ復号部、３７  コンテンツ再生部、５１  コンテンツ検索情報生成部、５２  携帯電話向け通信部、５３  情報配信サーバ向け通信部、５４  キオスク端末向け通信部、５５  セットトップボックス向け通信部、５６  入力部、５７  携帯電話向け通信部、５８  コンテンツ配信サーバ向け通信部、５９  携帯電話向け通信部。
【図１】
2004159036.tif 000003
【図２】
2004159036.tif 000004
【図３】
2004159036.tif 000005
【図４】
2004159036.tif 000006
【図５】
2004159036.tif 000007
【図６】
2004159036.tif 000008
【図７】
2004159036.tif 000009
【図８】
2004159036.tif 000010
【図９】
2004159036.tif 000011
【図１０】
2004159036.tif 000012
【図１１】
2004159036.tif 000013
【図１２】
2004159036.tif 000014
【図１３】
2004159036.tif 000015
【図１４】
2004159036.tif 000016
【図１５】
2004159036.tif 000017
【図１６】
2004159036.tif 000018
【図１７】
2004159036.tif 000019
【図１８】
2004159036.tif 000020